(57)【要約】【課題】シャッター中間柱を取り外し持ち運ぶ事は大変であり、シャッター中間柱移動中に周囲の物に当たるなど危険が伴い、そして立て掛けて置く場合も横にして置く場合も邪魔になるし見た目にも良くない。【解決手段】  シャッター装置において、シャッターを間口縦外迄延長し、シャッターガイドレールを間口縦の外に設置して、シャッター巻き上げ装置下部にシャッター中間柱ガイドレールをシャッター中間柱設置位置とシャッターガイドレール間に設置すると共に、シャッター中間柱設置位置とシャッターガイドレール間を移動するシャッター中間柱は、シャッター中間柱上部にシャッター中間柱移動装置と、シャッター中間柱下部にリフト装置と、シャッター中間柱中部にリフトハンドル装置が設けられている事を特徴とするシャッター。【選択図】図１
2017008650.tif 000002
【特許請求の範囲】
【請求項１】
シャッター装置において、シャッターを間口縦外迄延長し、シャッターガイドレールを間口縦の外に設置して、シャッター巻き上げ装置下部にシャッター中間柱ガイドレールをシャッター中間柱設置位置とシャッターガイドレール間に設置すると共に、シャッター中間柱設置位置とシャッターガイドレール間を移動するシャッター中間柱は、シャッター中間柱上部にシャッター中間柱を上下動自在に装着するシャッター中間柱移動装置と、シャッター中間柱下部にシャッター中間柱の重量を支えるリフト装置と、シャッター中間柱中部にシャッター中間柱とリフト装置を上下動するリフトハンドル装置が設けられている事を特徴とするシャッター。
【請求項２】
前記シャッター中間柱移動装置は、シャッター中間柱ガイドレール内に横行自在に挿入するコロと、コロを装着するコロ取付け版と、前後のコロ取付け版間に設けるスペイサーと、シャフトにより構成して、コロ取付け版の一方にスペイサーは溶着されていて、前後のコロ取付け版はそれぞれ内側に折り曲げてシャッター中間柱の左右を支えるサイドガード形状を成している事を特徴とする請求項１に記載のシャッター。
【請求項３】
前記シャッター中間柱は、角パイプを芯柱にして、芯柱の前後にシャッターガイド板が装着固定されていて、シャッターガイド板の左右面は内側に折れ曲がってシャッターガイド板レール機能になっていて、シャッターガイド板と芯柱上部にシャッター中間柱が上下動するためのシャッター中間柱上下動スペースを設けて、シャッター中間柱上下動スペースにスペイサーを潜らせて、前後のコロ取付け版を前後のコロ取付け版間にスペイサーを挟んで、シャッター中間柱上部はコロ取付け版間に上下動自在にシャフトとナットで固定されている事を特徴とする請求項１又は請求項２に記載のシャッター。
【請求項４】
前記リフト装置の構成は、芯柱の内側に上下動自在に装着する内柱下部にシャッターガイド外板を溶着して、シャッターガイド外板の左右面は内側に折れ曲がりシャッターガイドレール外板レール機能をなしていて、芯柱下部の下からスプリングコロユニットが挿入されていて、スプリングコロユニットは、スプリングコロとスプリングコロ軸と縦軸と縦軸スットッパーとスプリングとが縦軸支持枠により支えられている事を特徴とする請求項１乃至請求項３のいずれかに記載のシャッター。
【請求項５】
前記リフトハンドル装置の構成は、芯柱とシャッターガイド板に開口部を設け、内柱上部に支持板を形成して、リフトハンドルを左右の支持板を貫通するリフトハンドル軸で装着して、芯柱内に支持アームを芯柱の左右面を貫通する支持アーム上軸で装着して、リフトハンドル中央に溝を設けて、リフトハンドル左右側面間に支持アーム下軸調整穴が形成され、調整穴に支持アーム下軸を挿入して、支持アーム下軸は溝の位置でEワッシャーで留まっていて、左右の支持板上部には支持アーム留が形成されて、シャッターガイド外板に留軸を設けている事を特徴とする請求項1乃至請求項４のいずれかに記載のシャッター。
【請求項６】
前記電動シャッター巻き上げ装置下部に、シャッター中間柱が上に伸びた状態で電動シャッターの電気回路をON  OFするシャッター誤作動防止スイッチが装着されている事を特徴とする請求項１乃至請求項５のいずれかに記載のシャッター。
【請求項７】
前記シャッターガイド板の横幅を広げ、芯柱をシャッターガイド板の左右に設け、芯柱間に潜戸を形成して、左右の芯柱下部にリフト装置と、芯柱中部にリフトハンドル装置を設け、潜戸付シャッター中間柱を形成して、シャッターの上下動時に使用するシャッターガイドレールを間口縦の左右に設置し、シャッター巻き上げ装置下部に潜戸付シャッター中間柱ガイドレール２本を間口縦の左右のシャッターガイドレール間に配設して、潜戸付シャッター中間柱ガイドレール２本と潜戸付シャッター中間柱上部の間に潜戸付シャッター中間柱移動装置が装着されている事を特徴とする請求項１乃至請求項６のいずれかに記載のシャッター。
【発明の詳細な説明】
【技術分野】
【０００１】
この発明は建物の屋外と屋内とを区切るシャッターにおいてシャッターの面積がある程度広い面積になると、部材の問題とシャッターが風により受ける風圧により必要になる中間柱に関する。
【背景技術】
【０００２】
シャッターの横の長さがある程度長くなるとシャッターが受ける風圧と使用材料の長さと材質の問題で中間柱が必要になり、その中間柱はシャッターを上げた後に取り外してから運んで間口横に立て掛ける又は横にして置くなどしていた。
【０００３】
従来移動する中柱の重量は間口上にかかっていて、中柱を重くすることが困難であった。
【先行技術文献】
【特許文献】
【０００４】
【特許文献１】実開昭６２−３１６９６号公報
【特許文献２】実開平２−６０１９９号公報
【特許文献３】特開２０００−２４０３７２号公報
【０００５】
特許文献１は、ハンガーレールの高低差により中柱を中柱設置近辺で上下動しているが、中柱の上がる幅に満足する幅は得られていない。
特許文献２は、中柱の中ほどのレバーにより固定ロッドを上下に開いて中柱を中柱設置に固定するものが見られる。
【発明の概要】
【０００６】
シャッター装置において、シャッターを間口縦外迄延長し、シャッターガイドレールを間口縦の外に設置して、シャッター巻き上げ装置下部にシャッター中間柱ガイドレールをシャッター中間柱設置位置とシャッターガイドレール間に設置すると共に、シャッター中間柱設置位置とシャッターガイドレール間を移動するシャッター中間柱は、シャッター中間柱上部にシャッター中間柱移動装置と、シャッター中間柱下部にリフト装置と、シャッター中間柱中部にリフトハンドル装置が設けられているシャッター。
【発明が解決しようとする課題】
【０００７】
シャッター中間柱を取り外し持ち運ぶ事は大変でありシャッター中間柱を移動中に周辺の物に当ててしまうなど危険が伴う、そして立て掛けて置く場合も横にして置く場合も邪魔になるし見た目も良くない。
倉庫などで吊るし形大形扉の場合床に埋め込んだ扉ガイドレールが重い物に引っかかり曲がったりすると扉の開け閉めがしにくくなる、又扉ガイドレールを取り替えるのは大変にもかかわらず大形シャッター用中間柱は持ち歩く事は出来ないので吊るし扉になってしまう。
間口の上にかかる中柱の加重をゼロに近づける。
中柱のリフトアップを微力で操作が可能にする。
【課題を解決するための手段】
【０００８】
本願発明の請求項１は、シャッター装置において、シャッターを間口縦外迄延長し、シャッターガイドレールを間口縦の外に設置して、シャッター巻き上げ装置下部にシャッター中間柱ガイドレールをシャッター中間柱設置位置とシャッターガイドレール間に設置すると共に、シャッター中間柱設置位置とシャッターガイドレール間を移動するシャッター中間柱は、シャッター中間柱上部にシャッター中間柱を上下動自在に装着するシャッター中間柱移動装置と、シャッター中間柱下部にシャッター中間柱の重量を支えるリフト装置と、シャッター中間柱中部にシャッター中間柱とリフト装置を上下動するリフトハンドル装置が設けられている事を特徴とするシャッター。
【０００９】
本願発明の請求項２は、シャッター中間柱移動装置は、シャッター中間柱ガイドレール内に横行自在に挿入するコロと、コロを装着するコロ取付け版と、前後のコロ取付け版間に設けるスペイサーと、シャフトにより構成して、コロ取付け版の一方にスペイサーは溶着されていて、前後のコロ取付け版はそれぞれ内側に折り曲げてシャッター中間柱の左右を支えるサイドガード形状を成しているシャッター。
【００１０】
本願発明の請求項３は、シャッター中間柱は、角パイプを芯柱にして、芯柱の前後にシャッターガイド板が装着固定されていて、シャッターガイド板の左右面は内側に折れ曲がってシャッターガイド板レール機能になっていて、シャッターガイド板と芯柱上部にシャッター中間柱が上下動するためのシャッター中間柱上下動スペースを設けて、シャッター中間柱上下動スペースにスペイサーを潜らせて、前後のコロ取付け版を前後のコロ取付け版間にスペイサーを挟んで、シャッター中間柱上部はコロ取付け版間に上下動自在にシャフトとナットで固定されているシャッター。
【００１１】
本願発明の請求項４は、リフト装置の構成は、芯柱の内側に上下動自在に装着する内柱下部にシャッターガイド外板を溶着して、シャッターガイド外板の左右面は内側に折れ曲がりシャッターガイドレール外板レール機能をなしていて、芯柱下部の下からスプリングコロユニットが挿入されていて、スプリングコロユニットは、スプリングコロとスプリングコロ軸と縦軸と縦軸スットッパーとスプリングとが縦軸支持枠により支えられているシャッター。
【００１２】
本願発明の請求項５は、リフトハンドル装置の構成は、芯柱とシャッターガイド板に開口部を設け、さらに内柱上部に支持板を形成して、リフトハンドルを左右の支持板を貫通するリフトハンドル軸で装着して、芯柱内に支持アームを芯柱の左右面を貫通する支持アーム上軸で装着して、リフトハンドル中央に溝を設けて、リフトハンドル左右側面間に支持アーム下軸調整穴が形成され、調整穴に支持アーム下軸を挿入して、支持アーム下軸は溝の位置でEワッシャーで留まっていて、左右の支持板上部には支持アーム留が形成されて、シャッターガイド外板に留軸を設けているシャッター。
【００１３】
本願発明の請求項６は、電動シャッター巻き上げ装置下部に、シャッター中間柱が上に伸びた状態で電動シャッターの電気回路をON  OFするシャッター誤作動防止スイッチが装着されているシャッター。
【００１４】
請求項７は、前記シャッターガイド板の横幅を広げ、芯柱をシャッターガイド板の左右に設け、芯柱間に潜戸を形成して、左右の芯柱下部にリフト装置と、芯柱中部にリフトハンドル装置を設け、潜戸付シャッター中間柱を形成して、シャッターの上下動時に使用するシャッターガイドレールを間口縦の左右に設置し、シャッター巻き上げ装置下部に潜戸付シャッター中間柱ガイドレール２本を間口縦の左右のシャッターガイドレール間に配設して、潜戸付シャッター中間柱ガイドレール２本と潜戸付シャッター中間柱上部の間に潜戸付シャッター中間柱移動装置が装着されているシャッター。
【００１５】
使用する用語の説明として。
シャッター中間柱は、シャッター中間柱下部にリフト装置と、シャッター中間柱中部にリフトハンドル装置とで構成されている。
シャッター中間柱の重量は、シャッター中間柱全体の重量から、スプリングコロと、スプリングコロ軸の重量をひいた重量を表す。
【００１６】
シャッター装置において、シャッターを間口縦外迄延長し、シャッターガイドレールを間口縦の外に設置して、シャッター巻き上げ装置下部にシャッター中間柱ガイドレール２本をシャッター中間柱設置位置とシャッターガイドレール間に設置すると共に、シャッター中間柱設置位置とシャッターガイドレール間を移動するシャッター中間柱は、シャッター中間柱上部にシャッター中間柱移動装置と、シャッター中間柱下部にリフト装置と、シャッター中間柱中部にリフトハンドル装置とで構成する。
【００１７】
シャッター中間柱移動装置は、シャッター中間柱ガイドレール内に横行自在に挿入するコロ(１１)を装着するコロ取付け版と、コロと、前後のコロ取付け版間に設けるスペイサーと、シャフトにより構成して、コロ取付け版の一方にスペイサーは溶着されていて、前後のコロ取付け版はそれぞれ内側に折り曲げてシャッター中間柱の左右を支えるサイドガード形状を成している。
【００１８】
シャッター中間柱は、角パイプを芯柱にして、芯柱の前後にシャッターガイド板が装着固定されていて、シャッターガイド板の左右面は内側に折れ曲がってシャッターガイド板レール機能になっていて、シャッターガイド板と芯柱上部にシャッター中間柱が上下動するためのシャッター中間柱上下動スペースを設けて、上下動スペースの上下幅はスペイサー上下幅にシャッター中間柱上下動幅をくわえた幅以上に成っていて、前後のコロ取付け版を前後のコロ取付け版間にスペイサーを挟んで、シャッター中間柱をコロ取付け版間に上下動自在にシャフトとナットで固定する。
【００１９】
シャッター中間柱下部のリフト装置の構成は、芯柱の内側に上下動自在に装着する内柱下部にシャッターガイド外板を溶着して、シャッターガイド外板の左右面は内側に折れ曲がりシャッターガイド外板レール機能をなしていて、芯柱下部の下からスプリングコロユニットを挿入する
【００２０】
スプリングコロユニットは、スプリングコロとスプリングコロ軸と縦軸と縦軸スットッパーとスプリングとが縦軸支持枠により支えられていて、スプリングは、シャッター中間柱の重量以上の重量には耐えられない強度にする。
【００２１】
シャッター中間柱中部のリフトハンドル装置の構成は、芯柱とシャッターガイド板の正面に開口部を設け、さらに内柱上部手前を左右に切り開いて支持板を形成して、リフトハンドルを左右の支持板を貫通するリフトハンドル軸で装着して、芯柱内に支持アームを芯柱の左右面を貫通する支持アーム上軸で装着する。
【００２２】
リフトハンドル中央に前後にのびる溝を設けて、リフトハンドル左右側面間に支持アーム下軸調整穴が形成して、調整穴に支持アーム下軸を挿入して、支持アーム下軸は溝の位置で支持アーム下軸中央に円周状に設けた切り込みにEワッシャーを装着して留まっていて、左右の支持板上部には支持板より内側に延長する支持アーム留を形成して、リフトハンドルを下げた状態で支持アーム下部は支持アーム留に係止されていて、リフトハンドルエンドにリフトハンドル脱落防止のリフトハンドル留磁石を設けて、シャッターガイド外板に留軸を設け、シャッターガイド板上端にシャッター中間柱設置位置印を記入し、シャッター巻き上げ装置下部に設置位置印を記入する。
【００２３】
電動シャッターの場合は、シャッター中間柱が装着されていない場合にシャッターが動かないために、シャッター中間柱が上に伸びた状態で電動シャッターの電気回路をON  OFするシャッター誤作動防止スイッチをシャッター巻き上げ装置下部に装着する。
【発明の効果】
【００２４】
以下図面に基づき説明する。
シャッター装置（１）において、シャッター（２）を間口（３）縦外迄延長し、シャッターガイドレール（４）を間口縦の外に設置して、  シャッター巻き上げ装置（５）下部にシャッター中間柱ガイドレール（６）２本をシャッター中間柱（７）設置位置とシャッターガイドレール（４）間に設置すると共に、シャッター中間柱（７）設置位置とシャッターガイドレール（４）間を移動するシャッター中間柱(７)は、シャッター中間柱(７)上部にシャッター中間柱移動装置(８)と、シャッター中間柱(７)下部にリフト装置(９)と、シャッター中間柱(７)中部にリフトハンドル装置(１０)とで構成することにおいて、シャッター中間柱（７）を間口（３）外の縦に収納できる。
【００２５】
シャッター中間柱ガイドレール（６）内に横行自在に挿入するコロ(１１)を装着するコロ取付け版（１２）と、コロ（１１）と、前後のコロ取付け版(１２)間に設けるスペイサー(１３)と、シャフト（１４）により構成して、コロ取付け版(１２)の一方にスペイサー(１３)は溶着されていて、シャッター中間柱（７）は、角パイプを芯柱(１６)にして、芯柱(１６)の前後にシャッターガイド板(１７)間が装着固定されていて、シャッターガイド板(１７)と芯柱(１６)上部に上下動スペース(１９)を設けたことにおいて、前後のコロ取付け版(１２)を、前後のコロ取付け版(１２)間にスペイサー(１３)を挟んで、シャッター中間柱（７）をコロ取付け版(１２)間に上下動スペース(１９)の上下幅を上下動自在にシャフト（１４）とナットで固定することができる。
【００２６】
前後のコロ取付け版(１２)はそれぞれ内側に折り曲げてシャッター中間柱（７）の左右を支えるサイドガード(１５)形状を成していることにおいて、シャッター中間柱（７）とシャッター中間柱移動装置(８)は一体となり容易に左右に移動できる。
【００２７】
シャッター中間柱（７）下部のリフト装置(９)の構成は、芯柱(１６)の内側に上下動自在に装着する内柱(２０)下部にシャッターガイド外板(２１)を溶着して、シャッターガイド外板(２１)の左右面を内側に折り曲げたことにおいて、シャッターガイドレール外板(２２)レール機能をなしている。
【００２８】
芯柱(１６)下部の下からスプリングコロユニット(２３)を挿入するスプリングコロユニット(２３)の構成は、スプリングコロ(２４)とスプリングコロ軸(２５)と縦軸(２６)と縦軸スットッパー(２７)とスプリング(２８)とが縦軸支持枠(２９)により支えられていて、スプリング(２８)は、シャッター中間柱（７）の重量以上の重量には耐えられない強度にすることにおいて、シャッターガイドレール（４）にかかる重量、又は、間口（３）横上にかかる重量は最小限にできる。
【００２９】
スプリング(２８)の強度を、シャッター中間柱（７）の重量の９割の重量に耐える強度にした場合は、シャッター中間柱（７）の重量の１割の重量はシャッター中間柱移動装置(８)のスペイサー(１３)により保持される。
【００３０】
リフトハンドル(３２)を左右の支持板(３１)に左右の支持板(３１)を貫通するリフトハンドル軸(３３)で装着して、芯柱(１６)内に支持アーム(３４)を芯柱(１６)の左右面を貫通する支持アーム上軸(３５)で装着して、左右の支持板(３１)上部には支持板(３１)より内側に延長する支持アーム留(４０)を形成してあることにおいて、リフトハンドル(３２)を下げた状態で支持アーム(３４)下部は支持アーム留(４０)に係止することができる。
【００３１】
リフトハンドル(３２)左右側面間に支持アーム下軸(３７)調整穴(３８)が形成され、リフトハンドル(３２)を左右の支持板(３１)を貫通するリフトハンドル軸(３３)で装着して、調整穴(３８)に支持アーム下軸(３７)を挿入して、支持アーム下軸(３７)左右に左右の支持アーム(３４)装着していることにおいて、上に真っ直ぐ上がったリフトハンドル(３２)を下へ回転時、支持アーム下軸(３７)は調整穴(３８)の幅間をフリーに移動して調整穴(３８)の幅で発生するシャッターガイド板(１７)とリフトハンドル(３２)との角度の間はほとんど力がいらず、リフトハンドル(３２)が若干斜めになった時点からリフトハンドル(３２)を下におすことでリフトハンドル(３２)の操作が楽にできる。
【００３２】
下に真っ直ぐ下がったリフトハンドル(３２)を上へ回転時、支持アーム下軸(３７)は調整穴(３８)の幅間をフリーに移動して調整穴(３８)の幅で発生するシャッターガイド板(１７)とリフトハンドル(３２)との角度の間はほとんど力がいらず、リフトハンドル(３２)が若干斜めになった時点からリフトハンドル(３２)を上に上げることでリフトハンドル(３２)の操作が楽にできる。
【００３３】
左右の支持板(３１)上部には支持板(３１)より内側に延長する支持アーム留(４０)が形成してあることにおいて、リフトハンドル(３２)を下に向けた場合、支持アーム上軸(３５)とリフトハンドル軸(３３)の中心を結ぶ線を支持アーム下軸(３７)の中心が回り過ぎてから支持アーム(３４)下部にかかる重量は、支持アーム下軸(３７)と、支持アーム(３４)と、支持アーム上軸(３５)と、芯柱(１６)とシャッターガイド板(１７)とシャッターガイド板レール(１８)の重量が支持アーム(３４)下部の下前方へ向かう重量となりこの重量を支持アーム留(４０)で支えることできる。
【００３４】
シャッター巻き上げ装置（５）下部に電動シャッターのシャッターモーター電気回路をON  OFするシャッター（２）誤作動防止スイッチ(４４)設けたことにおいて、シャッター（２）はシャッター中間柱（７）が上に伸びた状態でのみ作動することが出来る。
【００３５】
シャッター装置（４６）において、シャッターガイド板(４７)の横幅を広げ、芯柱をシャッターガイド板(４７)２枚の内側の左右に設けて、芯柱間に潜戸(４８)を形成して、左右の芯柱下部にリフト装置(４９)と、芯柱中部にリフトハンドル装置(５０)を設けることにおいて、潜戸付シャッター中間柱（５１）を形成できる。
【００３６】
シャッター(５２)の上下動時に使用するシャッターガイドレール(５３)を間口(５４)縦の左右に設置して、シャッター巻き上げ装置(５５)下部に潜戸付シャッター中間柱ガイドレール２本を間口縦の左右のシャッターガイドレール（５３）間に配設して、潜戸付シャッター中間柱ガイドレール２本と潜戸付シャッター中間柱（５１）上部の間に潜戸付シャッター中間柱移動装置(５６)を装着することにおいて、潜戸付シャッター中間柱（５１）を間口(５４)の所望する位置に停止できる。
【００３７】
芯柱(１６)上部端の左右側面を内側に曲げて、芯柱(１６)の左右側面より支持アーム上軸(３５)とナット、リフトハンドル軸(３３)とナットが出ない構成にすることにおいてシャッター（２）の上下動に支障がない。
【図面の簡単な説明】
【００３８】
【図１】シャッター装置（１）において、シャッターガイドレール（４）と、間口（３）と、シャッター中間柱移動装置(８)と、シャッター中間柱（６）と、リフトハンドル装置(１０)とリフト装置(９)とシャッター巻き上げ装置（５）を示す斜視図。
【図２】シャッター（２）下部をシャッター巻き上げ装置（５）下部迄上げて、シャッターガイドレール（４）を間口外に設置し、シャッター中間柱ガイドレール（６）を間口外に延長した間口外のシャッター巻き上げ装置（５）底面を示す図。
【図３】シャッター中間柱移動装置(８)の正面図、A−A切断線を示す。
【図４】シャッター中間柱移動装置(８)の左側面図。
【図５】図３のA−A線切断端面図。
【図６】リフト装置(９)の正面図、Ｋ−Ｋ切断線と、C−C切断線を示す。
【図７】リフト装置(９) )の左側面図。
【図８】図６のＫ−Ｋ線切断端面図、リフトハンドル(３２)は上がっていてスプリング(２８)が伸びている。
【図９】図６のＫ−Ｋ線切断端面図、リフトハンドル(３２)が下がっていてスプリング(２８)は縮んでいて、移動空間(４５)を示す。
【図１０】図６のC−C線切断端面図。
【図１１】リフト装置(９)のイメージ正面図。
【図１２】リフトハンドル装置(１０)の正面図、D−D切断線を示す。
【図１３】リフトハンドル装置(１０)の左側面図。
【図１４】図１２のD−D線切断端面図、リフトハンドル(３２)は上がっていてスプリング(２８)が伸びている。
【図１５】図１２のD−D線切断端面図、リフトハンドル(３２)が下がっていてスプリング(２８)は縮んでいる。
【図１６】シャッター装置（４６）において、シャッターガイドレール（５２）と、間口（５４）と、潜戸付シャッター中間柱移動装置(５６)と、潜戸付シャッター中間柱（５１）を示す斜視図。
【発明を実施するための形態】
【００３９】
以下図面に基づき説明する。
シャッター装置（１）において、シャッター（２）を間口（３）縦外迄延長し、シャッターガイドレール（４）を間口縦の外に設置して、  シャッター巻き上げ装置（５）下部にシャッター中間柱ガイドレール（６）２本をシャッター中間柱（７）設置位置とシャッターガイドレール（４）間に設置すると共に、シャッター中間柱（７）設置位置とシャッターガイドレール（４）間を移動するシャッター中間柱(７)は、シャッター中間柱(７)上部にシャッター中間柱移動装置(８)と、シャッター中間柱(７)下部にリフト装置(９)と、シャッター中間柱(７)中部にリフトハンドル装置(１０)とで構成する。
【００４０】
シャッター中間柱移動装置(８)は、シャッター中間柱ガイドレール（６）内に横行自在に挿入するコロ(１１)を装着するコロ取付け版（１２）と、コロ（１１）と、前後のコロ取付け版(１２)間に設けるスペイサー(１３)と、シャフト（１４）により構成して、コロ取付け版(１２)の一方にスペイサー(１３)は溶着されていて、前後のコロ取付け版(１２)はそれぞれ内側に折り曲げてシャッター中間柱（７）の左右を支えるサイドガード(１５)形状を成している。
【００４１】
シャッター中間柱（７）は、角パイプを芯柱(１６)にして、芯柱(１６)の前後にシャッターガイド板(１７)が装着固定されていて、シャッターガイド板(１７)の左右面は内側に折れ曲がってシャッターガイド板レール(１８)機能になっていて、シャッターガイド板(１７)と芯柱(１６)上部にシャッター中間柱（７）が上下動するためのシャッター中間柱（７）上下動スペース(１９)を設けて、上下動スペース(１９)の上下幅はスペイサー(１３)上下幅にシャッター中間柱（７）上下動幅をくわえた幅以上に成っていて、前後のコロ取付け版(１２)を前後のコロ取付け版(１２)間にスペイサー(１３)を挟んで、シャッター中間柱（７）をコロ取付け版(１２)間に上下動自在にシャフト(１４)とナットで固定する。
【００４２】
シャッター中間柱(７)下部のリフト装置(９)の構成は、芯柱(１６)の内側に上下動自在に装着する内柱(２０)下部にシャッターガイド外板(２１)を溶着し、内柱(２０)とシャッターガイド外板(２１)を一体にして、シャッターガイド外板(２１)の左右面は内側に折れ曲がりシャッターガイド外板レール(２２)機能をなしていて、芯柱(１６)下部の下からスプリングコロユニット(２３)を挿入する
【００４３】
スプリングコロユニット(２３)は、スプリングコロ(２４)と、スプリングコロ軸(２５)と縦軸(２６)と、縦軸スットッパー(２７)と、スプリング(２８)とが縦軸支持枠(２９)により支えられていて、スプリング(２８)は、シャッター中間柱(７)の重量以上の重量には耐えられない強度にする。
【００４４】
シャッター中間柱(７)中部のリフトハンドル装置(１０)の構成は、芯柱(１６)とシャッターガイド板(１７)の正面に開口部(３０)を設け、さらに内柱(２０)上部手前を左右に切り開いて支持板(３１)を形成して、リフトハンドル(３２)を左右の支持板(３１)を貫通するリフトハンドル軸(３３)で装着して、芯柱(１６)内に支持アーム(３４)を芯柱(１６)の左右面を貫通する支持アーム上軸(３５)で装着する。
【００４５】
リフトハンドル(３２)中央に前後にのびる溝(３６)を設けて、リフトハンドル(３２)左右側面間に支持アーム下軸(３７)調整穴(３８)が形成して、調整穴(３８)に支持アーム下軸(３７)を挿入して、支持アーム下軸(３７)は溝(３６)の位置で支持アーム下軸(３７)中央に円周状に設けた切り込みにEワッシャー(３９)を装着して留まっていて、左右の支持板(３１)上部には支持板(３１)より内側に延長する支持アーム留(４０)を形成して、リフトハンドル(３２)を下げた状態で支持アーム(３４)下部は支持アーム留(４０)に係止されていて、リフトハンドル(３２)エンドにリフトハンドル(３２)脱落防止のリフトハンドル留磁石(４１)を設けて、シャッターガイド外板(２１)に留軸(４２)を設け、シャッターガイド板(１７)上端にシャッター中間柱（７）設置位置印(４３)を記入し、シャッター巻き上げ装置（５）下部に設置位置印を記入する。
【００４６】
電動シャッターの場合は、シャッター中間柱（７）が装着されていない場合にシャッター（２）が動かないために、シャッター中間柱（７）が上に伸びた状態で電動シャッターの電気回路をON  OFするシャッター（２）誤作動防止スイッチ(４４)をシャッター巻き上げ装置（５）下部に装着する。
【００４７】
シャッター中間柱（７）の使用方法は、シャッター中間柱（７）上端に記入されたシャッター中間柱（７）設置位置印(４３)をシャッター巻き上げ装置（５）下部に記入された設置位置印に合わせて、上へ直角に伸びるリフトハンドル(３２)を手前に引くと、リフトハンドル(３２)が手前へと回転時、支持アーム下軸(３７)は調整穴(３８)の幅だけフリーに移動して、調整穴(３８)の幅で発生するリフトハンドル軸(３３)を支点としてシャッターガイド板(１７)とリフトハンドル(３２)との角度の間のリフトハンドル(３２)の移動にはほとんど力がいらない、
【００４８】
リフトハンドル(３２)が若干斜めになった時点からリフトハンドル(３２)に力を加え下に押すと、加えた力の一方は押し上げる力として、支持アーム下軸(３７)から支持アーム(３４)へ、支持アーム(３４)から支持アーム上軸(３５)へ、支持アーム上軸(３５)から芯柱(１６)に伝わり、加えた力の他方は押し下げる力として、リフトハンドル軸(３３)から支持板(３１)へ、支持板(３１)から内柱(２０)へ伝わり、シャッターガイド板(１７)とシャッターガイド板レール(１８)と芯柱(１６)とリフトハンドル装置(１０)を合わせた重量に、リフト装置(９)の重量が加重されシャッター中間柱（７）の全重量と成って、スプリングコロユニット(２３)の、スプリング(２８)はシャッター中間柱（７）の全重量により縮んで、シャッターガイド外板(２１)の下端は地面に接触する。
【００４９】
シャッターガイド外板(２１)と内柱(２０)は固定され一体に成っていて、さらにリフトハンドル(３２)に力を加え下に押すと、押し下げる力は支持板(３１)と内柱(２０)とシャッターガイド外板(２１)とシャッターガイド外坂レール(２２)を押し下げ、押し上げる力が支持アーム下軸(３７)と、支持アーム(３４)と、支持アーム上軸(３５)と、芯柱(１６)とシャッターガイド板(１７)とシャッターガイド板レール(１８)を上に押し上げる、と共に、芯柱(１６)とシャッターガイド板(１７)上部に形成された上下動スペース(１９)により コロ取付け版（１２）に溶着されたスペイサー(１３)に吊るされた芯柱(１６)とシャッターガイド板(１７)は上へと移動する。
【００５０】
シャッターガイド板(１７)とシャッターガイド板レール(１８)と芯柱(１６)上端はシャッター巻き上げ装置（５）下部に挿入して誤作動防止スイッチ(４４)を操作する、と共に、支持アーム上軸(３５)とリフトハンドル軸(３３)の中心を結ぶ線を支持アーム下軸(３７)の中心が回り過ぎてから支持アーム(３４)下部が支持アーム留(４０)で係止されて、芯柱(１６)と内柱(２０)の上下への移動距離はリフト装置(９)内の芯柱(１６)下端の移動空間(４５)として現れていて、シャッターガイド外板(２１)に設けた留軸(４２)を地面に差し込む。
【００５１】
シャッター装置（４６）において、シャッターガイド板(４７)の横幅を広げ、芯柱をシャッターガイド板(４７)の左右に設けて、芯柱間に潜戸(４８)を形成して、左右の芯柱下部にリフト装置(４９)と、芯柱中部にリフトハンドル装置(５０)を設けて、潜戸付シャッター中間柱（５１）を形成する。
【００５２】
シャッター(５２)の上下動時に使用するシャッターガイドレール(５３)を間口(５４)縦の左右に設置して、シャッター巻き上げ装置（５５）下部に潜戸付シャッター中間柱ガイドレール２本を間口縦の左右のシャッターガイドレール（５３）間に配設して、潜戸付シャッター中間柱ガイドレール２本と潜戸付シャッター中間柱（５１）上部の間に潜戸付シャッター中間柱移動装置(５６)を装着する。
【産業上の利用可能性】
【００５３】
シャッター中間柱を持ち運ぶ事なしにシャッター中間柱を移動出来るのでシャッター中間柱の重量や長さ幅などの制限が減り適用範囲が広がり、くぐり戸付シャッター中間柱、電動シャッター、オーバースライドシャッターに使用出来る。
【符号の説明】
【００５４】
１  シャッター装置
２  シャッター
３  間口
４  シャッターガイドレール
５  シャッター巻き上げ装置
６  シャッター中間柱ガイドレール
７  シャッター中間柱
８  シャッター中間柱移動装置
９  リフト装置
１０  リフトハンドル装置
１１  コロ
１２  コロ取付け版
１３  スペイサー
１４  シャフト
１５  サイドガード
１６  芯柱
１７  シャッターガイド板
１８  シャッターガイド板レール
１９  上下動スペース
２０  内柱
２１  シャッターガイド外坂
２２  シャッターガイド外坂レール
２３  スプリングコロユニット
２４  スプリングコロ
２５  スプリングコロ軸
２６  縦軸
２７  縦軸スットッパー
２８  スプリング
２９  縦軸支持枠
３０  開口部
３１  支持板
３２  リフトハンドル
３３  リフトハンドル軸
３４  支持アーム
３５  支持アーム上軸
３６  溝
３７  支持アーム下軸
３８  調整穴
３９  Eワッシャー
４０  支持アーム留
４１  リフトハンドル留磁石
４２  留軸
４３  設置位置印
４４  誤作動防止スイッチ
４５  移動空間
４６  シャッター装置
４７  シャッターガイド板
４８  潜戸
４９  リフト装置
５０  リフトハンドル装置
５１  潜戸付シャッター中間柱
５２  シャッター
５３  シャッターガイドレール
５４  間口
５５  シャッター巻き上げ装置
５６  潜戸付シャッター中間柱移動装置
【図１】
2017008650.tif 000003
【図２】
2017008650.tif 000004
【図３】
2017008650.tif 000005
【図４】
2017008650.tif 000006
【図５】
2017008650.tif 000007
【図６】
2017008650.tif 000008
【図７】
2017008650.tif 000009
【図８】
2017008650.tif 000010
【図９】
2017008650.tif 000011
【図１０】
2017008650.tif 000012
【図１１】
2017008650.tif 000013
【図１２】
2017008650.tif 000014
【図１３】
2017008650.tif 000015
【図１４】
2017008650.tif 000016
【図１５】
2017008650.tif 000017
【図１６】
2017008650.tif 000018